(57)【特許請求の範囲】
【請求項１】
遊技機の主制御を行う主制御基板と、
遊技機の制御対象部品の動作を制御するサブ制御基板とを備え、
電源投入により前記サブ制御基板が前記主制御基板より遅く立上り、電源投入により立ち上がった前記サブ制御基板は、人為的操作に基づいて前記主制御基板から当該サブ制御基板に対して送信される検査コマンドに従って、電源投入時の検査を実行する遊技機において、
前記サブ制御基板は、電源投入により給電されると、まず前記主制御基板からの前記検査コマンドを受付可能になり、その後前記主制御基板からの全コマンドを受付可能になるよう段階的に立ち上がる構成とされ、さらに、
前記サブ制御基板に検査開始指示プログラムを設け、
前記サブ制御基板は、電源投入により給電されると、前記検査開始指示プログラムに従って、電源投入から当該サブ制御基板が前記主制御基板からの前記検査コマンドを受付可能になるまでの状態を、前記制御対象部品を介して知らせる処理を行うことを特徴とする遊技機。
【請求項２】
前記サブ制御基板は演出制御基板であり、かつ前記制御対象部品は液晶モジュールである請求項１に記載の遊技機。
【請求項３】
前記演出制御基板は、前記検査開始指示プログラムに従って、前記液晶モジュールの表示画面に、未だ検査を開始できない旨の検査待機表示、及び検査を開始できるようになった旨の検査許可表示を行う請求項２に記載の遊技機。
【発明の詳細な説明】
【技術分野】
【０００１】
本発明は、パチンコ機、スロットマシンなど遊技機に関する。
【背景技術】
【０００２】
パチンコ機、スロットマシンなど遊技機を検査するために、液晶表示器など表示器の表示画面の色、明るさなど画面自体の性能を検査するための検査コマンドや、表示画面の変動パターンやデモ画像等を検査するための検査コマンドなどを人為的に演出制御基板に送信することがある。
【０００３】
通常、上記のような検査は、まず準備段階として、主制御基板に接続されている量産ROMを取外してその代わりに検査用プログラムが予め格納されている検査ROMを主制御基板に接続する作業が行われる。このような準備作業を終えた後は、遊技機の電源を投入する電源投入作業が行われ、さらに検査開始用の検査スイッチをオン操作する検査開始作業が行われる。
【０００４】
この検査開始作業は、電源投入によるサブ制御基板の立上がりが主制御基板の立上がりよりも早い場合には、主制御基板が検査コマンドを送信開始する時点で、既にサブ制御基板は主制御基板からの検査コマンドを受付可能な状態になっているため、作業者は、遊技機の電源をオンした直後に検査開始作業を行うことが可能であった。
【０００５】
しかし、近年、サブ制御基板が制御を行う液晶表示器など表示器の表示内容の高度化（３Dポリゴンなど）が進んでいるため、サブ制御基板にかかる負担が大きくなっている。このため、検査開始作業の際、電源投入によるサブ制御基板の立上がりが主制御基板の立上がりよりも遅い場合、主制御基板が検査コマンドを送信可能になっていても、サブ制御基板は主制御基板からの検査コマンドを未だ受付けることができないため、作業者は、遊技機の電源を投入してから経験則に基づく相当の時間を置いた後に検査開始作業を行うようにしていた。なお、特許文献１や特許文献２には、主に遊技中における電源投入時の遊技機の正常動作を確保するために、サブ制御基板が立上がった後に主制御基板が立上がるよう遊技機を構成する技術的思想が開示されている。
【特許文献１】特開２００１−１７０３２６公報
【特許文献２】特開２００１−１２０８１５公報
【発明の開示】
【発明が解決しようとする課題】
【０００６】
本発明は、電源投入によるサブ制御基板の立上がりが主制御基板の立上がりよりも遅い場合に、検査開始作業を行うことができるタイミングを作業者に知らせることにより、従来の検査開始作業を行うまでの待ち時間の短縮化を図るとともに検査開始作業の正確化を期すことを目的とする。
【課題を解決するための手段】
【０００７】
本発明の遊技機は、遊技機の主制御を行う主制御基板と、遊技機の制御対象部品の動作を制御するサブ制御基板とを備え、電源投入により前記サブ制御基板が前記主制御基板より遅く立上り、電源投入により立ち上がった前記サブ制御基板は、人為的操作に基づいて前記主制御基板から当該サブ制御基板に対して送信される検査コマンドに従って、電源投入時の検査を実行する遊技機において、前記サブ制御基板は、電源投入により給電されると、まず前記主制御基板からの前記検査コマンドを受付可能になり、その後前記主制御基板からの全コマンドを受付可能になるよう段階的に立ち上がる構成とされ、さらに、前記サブ制御基板に検査開始指示プログラムを設け、前記サブ制御基板は、電源投入により給電されると、前記検査開始指示プログラムに従って、電源投入から当該サブ制御基板が前記主制御基板からの前記検査コマンドを受付可能になるまでの状態を、前記制御対象部品を介して知らせる処理を行うことを特徴とする。
【０００８】
本発明の遊技機によると、遊技機の検査時に電源が投入されると、サブ制御基板に設けられた検査開始指示プログラムが実行され、作業者は、サブ制御基板が主制御基板からの検査コマンドを受付可能になったことを制御対象部品例えば液晶モジュールを介して知ることができる。したがって、この報知を受けた作業者が、直ちに検査開始作業を行うことにより、従来の検査開始作業を行うまでの待ち時間の短縮化を図ることができるとともに、検査開始作業の正確化を期すことができる。
【０００９】
ここで、前記サブ制御基板は例えば演出制御基板であり、かつ前記制御対象部品は例えば液晶モジュールである。
【００１０】
また、前記演出制御基板は、前記検査開始指示プログラムに従って、例えば、前記液晶モジュールの表示画面に、未だ検査を開始できない旨の検査待機表示、及び検査を開始できるようになった旨の検査許可表示を行う。
【発明を実施するための最良の形態】
【００１１】
以下、本発明の実施形態を図面に基づいて説明する。
【００１２】
図１は、本発明の一実施形態に係るパチンコ機の配線系統の主要部構成図、図２は、演出制御基板に設けられた検査開始指示プログラムの処理内容を表したフローチャート、図３は、同検査開始指示プログラム実行時のタイミングチャート、図４は、液晶モジュールの表示態様図をそれぞれ示す。
【００１３】
図１において、１は、CPU、ROM、RAM、I/Oを有し、パチンコ機の主制御を行う主制御基板を表す。図示していないが、主制御基板１には、始動入賞口スイッチが直接的に接続されるとともに中継端子板を介して普通入賞口スイッチ、大入賞口ソレノイド、ゲートスイッチなどが接続される。また、主制御基板１には、パチンコ機の検査を行う際に、作業者による検査開始作業によってオンされ、主制御基板に対し検査コマンドを演出制御基板に送信する指示を行う検査スイッチ２が接続される。この検査スイッチ２は、始動入賞口スイッチとは別個の独立したスイッチであってもよいし、あるいは、始動入賞口スイッチがこの検査スイッチ２を兼ねてもよい。
【００１４】
主制御基板１には、通常は量産ROM３つまりパチンコ機の主制御を行うためのプログラムデータが格納されたROMが設けられているが、検査時にはこの量産ROM３を取り外し、その代わりに検査用プログラムが格納された検査ROM４が接続される。
【００１５】
主制御基板１には、AC２４V電源５からフィルタ基板６、電源基板７及び中継端子板８を経て所定の直流電圧が印加される。
【００１６】
主制御基板１には、中継端子板９を介して液晶ユニット１０が接続される。液晶ユニット１０には、中継端子板８からランプ制御基板１１を介して所定の直流電圧が印加される。
【００１７】
液晶ユニット１０は、サブ制御基板としての演出制御基板１２と制御対象部品としての液晶モジュール１３からなる。演出制御基板１２は、CPU、ROM、RAM、I/Oを有し、主制御基板１から送信されてきた演出制御コマンドに基づいて液晶モジュール１３の表示画面に各種演出用の変動パターンやデモ画像などを表示させる演出制御を行う。また、演出制御基板１２のROMには、検査開始指示プログラムが格納されている。
【００１８】
ここで、主制御基板１、演出制御基板１２間には、電源投入時の立上りは主制御基板１側が早く、演出制御基板１２側が遅いという関係がある。
【００１９】
次に、パチンコ機を検査する際の作業手順及び処理動作を説明する。
【００２０】
まず、検査の準備段階として、作業者は、主制御基板１から量産ROM３を取り外し、その代わりに検査ROM４を接続する。
【００２１】
次に、作業者は、電源ライン上の電源スイッチ（図示せず。）をオン操作し、主制御基板１及び液晶ユニット１０に電源を供給する。
【００２２】
電源スイッチがオンすると、図２及び図３に示すように、演出制御基板１２はリセットされ、演出制御基板１２のCPUは、ROMに格納されている検査開始指示プログラムを実行開始する。
【００２３】
CPUは、まず主制御基板１からのコマンド受信を「不可」に設定する（S1）。次に、演出制御基板１２内のROMの内容をRAMに展開つまり書込む動作を行う（S2）。次に、液晶モジュール１３に、未だ検査を開始できない旨の検査待機表示の一例である「コマンド受信準備中」を表示させる（S3）。
【００２４】
次に、検査コマンド受信可能状態への移行を待って、つまり、T1時間の経過を待って、主制御基板１から送信されてくる検査コマンドのみを受信可能な状態に設定する（S4、S5）。これにより、T1時間経過後は、演出制御基板１２は主制御基板１から送信されてくる検査コマンドを受付可能になる。次に、液晶モジュール１３に、検査コマンドが受信可能になった旨を表す検査許可表示の一例である「検査コマンド受信OK」を表示する（S6）。作業者は、この「検査コマンド受信OK」の表示内容を見て、今後は検査開始作業を行うことができることを知るようになる。また、ROMの内容をRAMに展開し終わるまでに要する所要時間（残り時間）が液晶モジュール１３に表示開始される（S7）。
【００２５】
次に、検査コマンドが受信されたかどうかの判定（S8）と、ROM内容の展開が完了したかどうかの判定（S9）を繰り返し行う。作業者が検査スイッチ２をオン操作すると、主制御基板１のCPUは検査ROM４から検査用プログラムを読み出し、この検査用プログラムの検査コマンドを演出制御基板１２に送信する。この検査コマンドを受信した演出制御基板１２は、検査コマンドに基づいて液晶モジュール１３に対し対応するコマンドを出力する（S10）。これにより、液晶モジュール１３には、検査コマンドに基づく表示画面の色、明るさなど画面自体の性能を検査するための表示や、表示画面の変動パターンやデモ画像等を検査するための表示が行われる。
【００２６】
その後、ROM内容の展開が完了すると、換言すると、T2時間が経過すると、通常遊技状態へ移行し、主制御基板１から送信されてくる全てのコマンドを受信可能な「全コマンド受信可」に設定し（S11）、演出制御コマンドの受付が可能になる。また、液晶モジュール１３に「全コマンド受信OK」を表示する（S12）。
【００２７】
以上説明したように、本実施形態に係るパチンコ機（遊技機）は、パチンコ機の主制御を行う主制御基板１と、パチンコ機の液晶モジュール１３（制御対象部品）の動作を制御する演出制御基板１２（サブ制御基板）とを備え、電源投入により演出制御基板１２が主制御基板１より遅く立上るパチンコ機において、演出制御基板１２に検査開始指示プログラムを設け、検査開始指示プログラムは、パチンコ機の検査時に電源投入から演出制御基板１２が主制御基板１からの検査コマンドを受付可能になるまでの状態を、液晶モジュール１３を介して知らせる処理を行う。
【００２８】
本実施形態によると、パチンコ機の検査時に電源が投入されると、演出制御基板１２に設けられた検査開始指示プログラムが実行され、作業者は、演出制御基板１２が主制御基板１からの検査コマンドを受付可能になったことを液晶モジュール１３を介して知ることができる。したがって、この報知を受けた作業者が、直ちに検査開始作業を行うことにより、従来の検査開始作業を行うまでの待ち時間の短縮化を図ることができるとともに、検査開始作業の正確化を期すことができる。
【００２９】
なお、液晶モジュール１３に表示される検査待機表示は、図４に「検査コマンド受信可能まで」、「１０」で示すように、検査コマンドを受信可能になるまでに要する所要時間（残り時間）を表示するものであってもよい。また、サブ制御基板は演出制御基板のみに限定されるものではなく、他のサブ制御基板例えばランプ制御基板などであってもよい。ランプ制御基板の場合、制御対象部品はランプであり、例えば、検査コマンド受信可能までランプを点滅させ、受信可能になったらランプを点灯させるようにして作業者に対して検査開始タイミングを知らせる。
【図面の簡単な説明】
【００３０】
【図１】本発明の一実施形態に係るパチンコ機の配線系統図の主要部構成図である。
【図２】演出制御基板に設けられた検査開始指示プログラムの処理内容を表したフローチャートである。
【図３】同検査開始指示プログラム実行時のタイミングチャートである。
【図４】液晶モジュールの表示態様図である。
【符号の説明】
【００３１】
１    主制御基板
２    検査スイッチ
３    量産ROM
４    検査ROM
１２    演出制御基板（サブ制御基板）
１３    液晶モジュール
【図１】
0004791891.tif 000002
【図２】
0004791891.tif 000003
【図３】
0004791891.tif 000004
【図４】
0004791891.tif 000005